(57)【要約】【課題】情報端末装置に表示された情報ののぞき見による漏洩を低減しつつ、かつ利用者本人の視認性を低下させることなく情報を利用者に閲覧させる。【解決手段】秘匿したい情報を含む表示画像を、秘匿したい情報が操作パネル６の表示内容だけでは判読できないように、操作パネル６に表示するための画像とＨＭＤ９に表示するための画像とに分割する画像分割部１２と、操作パネル６及びＨＭＤ９それぞれに、対応する分割画像を表示するよう制御する表示制御部１４と、を有する。【選択図】図１
2015184921.tif 000002
【特許請求の範囲】
【請求項１】
表示手段と、
利用者の装着時に、透過型表示画面が利用者の目の前に位置するよう形成された、前記透過型表示画面を搭載した装着型表示機器を接続する接続手段と、
表示画像を、第１画像と前記表示画像の前記第１画像以外の部分からなる第２画像とに分割する分割手段と、
前記表示手段に前記第１画像を表示すると共に前記透過型表示画面に前記第２画像を表示するよう制御する表示制御手段と、
を有することを特徴とする情報表示装置。
【請求項２】
前記分割手段は、前記表示画像が秘匿情報を含む場合に、前記秘匿情報が第１画像のみでは判読できないように、又は秘匿情報が第２画像のみに含まれるように前記第１画像及び前記第２画像に分割することを特徴とする請求項１に記載の情報表示装置。
【請求項３】
前記分割手段は、利用者に操作されるグラフィカルユーザインタフェース部品を前記第１画像に含めるよう分割することを特徴とする請求項１に記載の情報表示装置。
【請求項４】
前記分割手段は、前記第１画像が前記第２画像より小さいサイズとなるよう分割することを特徴とする請求項１に記載の情報表示装置。
【請求項５】
利用者の装着時に、搭載した透過型表示画面が利用者の目の前に位置するように形成された装着型表示機器と、
情報端末装置と、
を有し、
前記情報端末装置は、
表示手段と、
前記装着型表示機器を接続する接続手段と、
表示画像を、第１画像と前記表示画像の前記第１画像以外の部分からなる第２画像とに分割する分割手段と、
前記表示手段に前記第１画像を表示すると共に前記透過型表示画面に前記第２画像を表示するよう制御する表示制御手段と、
を有することを特徴とする情報表示システム。
【請求項６】
コンピュータを、
表示手段、
利用者の装着時に、透過型表示画面が利用者の目の前に位置するよう形成された、前記透過型表示画面を搭載した装着型表示機器を接続する接続手段、
表示画像を、第１画像と前記表示画像の前記第１画像以外の部分からなる第２画像とに分割する分割手段、
前記表示手段に前記第１画像を表示すると共に前記透過型表示画面に前記第２画像を表示するよう制御する表示制御手段、
として機能させるためのプログラム。
【発明の詳細な説明】
【技術分野】
【０００１】
本発明は、情報表示装置、情報表示システム及びプログラムに関する。
【背景技術】
【０００２】
近年では、スマートホンやタブレット端末等の携帯端末がビジネスにも利用されてきており、例えば電車等公共の移動手段を利用した移動中に秘匿情報を含む業務文書を携帯端末を用いて閲覧する場合がある。この場合、背後の第三者に表示内容が閲覧されてしまう、いわゆるのぞき見による秘匿情報の漏洩を防止する技術として、携帯端末における秘匿情報の表示エリアの輝度を下げる技術（例えば、特許文献１）や、秘匿情報を隠蔽した状態で携帯端末に表示したりする技術が提案されている（例えば、特許文献２）。
【先行技術文献】
【特許文献】
【０００３】
【特許文献１】特開２０１１−１３３６４１号公報
【特許文献２】特開２０１１−１１８８４２号公報
【発明の概要】
【発明が解決しようとする課題】
【０００４】
本発明は、情報端末装置に表示された情報ののぞき見による漏洩を低減しつつ、かつ利用者本人の視認性を低下させることなく情報を利用者に閲覧させることを目的とする。
【課題を解決するための手段】
【０００５】
本発明に係る情報表示装置は、表示手段と、利用者の装着時に、透過型表示画面が利用者の目の前に位置するよう形成された、前記透過型表示画面を搭載した装着型表示機器を接続する接続手段と、表示画像を、第１画像と前記表示画像の前記第１画像以外の部分からなる第２画像とに分割する分割手段と、前記表示手段に前記第１画像を表示すると共に前記透過型表示画面に前記第２画像を表示するよう制御する表示制御手段と、を有することを特徴とする。
【０００６】
また、前記分割手段は、前記表示画像が秘匿情報を含む場合に、前記秘匿情報が第１画像のみでは判読できないように、又は秘匿情報が第２画像のみに含まれるように前記第１画像及び前記第２画像に分割することを特徴とする。
【０００７】
また、前記分割手段は、利用者に操作されるグラフィカルユーザインタフェース部品を前記第１画像に含めるよう分割することを特徴とする。
【０００８】
また、前記分割手段は、前記第１画像が前記第２画像より小さいサイズとなるよう分割することを特徴とする。
【０００９】
本発明に係る情報表示システムは、利用者の装着時に、搭載した透過型表示画面が利用者の目の前に位置するように形成された装着型表示機器と、情報端末装置と、を有し、前記情報端末装置は、表示手段と、前記装着型表示機器を接続する接続手段と、表示画像を、第１画像と前記表示画像の前記第１画像以外の部分からなる第２画像とに分割する分割手段と、前記表示手段に前記第１画像を表示すると共に前記透過型表示画面に前記第２画像を表示するよう制御する表示制御手段と、を有することを特徴とする。
【００１０】
本発明に係るプログラムは、コンピュータを、表示手段、利用者の装着時に、透過型表示画面が利用者の目の前に位置するよう形成された、前記透過型表示画面を搭載した装着型表示機器を接続する接続手段、表示画像を、第１画像と前記表示画像の前記第１画像以外の部分からなる第２画像とに分割する分割手段、前記表示手段に前記第１画像を表示すると共に前記透過型表示画面に前記第２画像を表示するよう制御する表示制御手段、として機能させるためのものである。
【発明の効果】
【００１１】
請求項１に記載の発明によれば、情報端末装置に表示された情報ののぞき見による情報の漏洩を低減しつつ、かつ利用者本人の視認性を低下させることなく情報を利用者に閲覧させることができる。
【００１２】
請求項２に記載の発明によれば、秘匿情報の漏洩を防止することができる。
【００１３】
請求項３に記載の発明によれば、操作性の低下を防止することができる。
【００１４】
請求項４に記載の発明によれば、表示手段に表示された画像だけでの視認性を更に低下させることができる。
【００１５】
請求項５に記載の発明によれば、情報端末装置に表示された情報ののぞき見による情報の漏洩を低減しつつ、かつ利用者本人の視認性を低下させることなく情報を利用者に閲覧させることができる。
【００１６】
請求項６に記載の発明によれば、情報端末装置に表示された情報ののぞき見による情報の漏洩を低減しつつ、かつ利用者本人の視認性を低下させることなく情報を利用者に閲覧させることができる。
【図面の簡単な説明】
【００１７】
【図１】本発明に係る情報表示装置の一実施の形態を示したブロック構成図である。
【図２】本実施の形態における情報表示装置を形成するコンピュータのハードウェア構成図である。
【図３】本実施の形態における業務文書の一例を示した図である。
【図４】本実施の形態における操作パネルに表示される業務文書の分割画像の例を示した図である。
【図５】本実施の形態におけるＨＭＤに表示される業務文書の分割画像の例を示した図である。
【図６】本実施の形態における他の業務文書とその業務文書が操作パネル及びＨＭＤそれぞれに表示される業務文書の分割画像の例を示した図である。
【図７】本実施の形態における他の業務文書とその業務文書が操作パネル及びＨＭＤそれぞれに表示され、他の分割方法にて分割された業務文書の分割画像の例を示した図である。
【図８】本実施の形態における表示処理を示したフローチャートである。
【図９】図８における画像分割処理を示したフローチャートである。
【図１０】一般的な情報表示装置の操作パネルに表示されるメモ文書編集アプリケーションの表示の一例を示した概念図である。
【図１１】図１０の表示例に示した画像のうち、秘匿したい情報としてＨＭＤに表示させる分割画像の一例を示した概念図である。
【図１２】図１０の表示例に示した画像のうち、秘匿する必要のない情報として操作パネルに表示させる分割画像の一例を示した概念図である。
【図１３】一般的な情報表示装置の操作パネルに表示されるメールアプリケーションでの表示の一例を示した概念図である。
【図１４】図１３の表示例に示した画像のうち、秘匿したい情報としてＨＭＤに表示させる分割画像の一例を示した概念図である。
【図１５】図１３の表示例に示した画像のうち、秘匿する必要のない情報として操作パネルに表示させる分割画像の一例を示した概念図である。
【発明を実施するための形態】
【００１８】
以下、図面に基づいて、本発明の好適な実施の形態について説明する。
【００１９】
図１は、本発明に係る情報表示システムの一実施の形態を示したブロック構成図である。本実施の形態における情報表示システムは、ヘッドマウントディスプレイ（Ｈｅａｄ  Ｍｏｕｎｔｅｄ  Ｄｉｓｐｌａｙ、以下「ＨＭＤ」）９及び情報表示装置１０を有している。情報表示装置１０は、スマートホンやタブレット端末等公共の場に持ち込んでの利用に適した携帯型のコンピュータを想定している。
【００２０】
ＨＭＤ９は、利用者の頭部に装着するタイプの装着型表示機器で、利用者の装着時に、透過型の表示画面が利用者の目の前に位置するよう形成された眼鏡型の形状を有した機器の利用を想定している。なお、厳密には、画像はＨＭＤ９に搭載された表示画面（液晶パネル）に表示されるが、以降の説明では、便宜的に「ＨＭＤ９に表示」とも記載し説明する。
【００２１】
図２は、本実施の形態における情報表示装置１０を形成するコンピュータのハードウェア構成図である。本実施の形態において情報表示装置１０を形成するコンピュータは、従前から存在する汎用的なハードウェア構成で実現できる。すなわち、コンピュータは、図２に示したようにＣＰＵ１、ＲＯＭ２、ＲＡＭ３、ハードディスクドライブ（ＨＤＤ）４、通信手段として設けられたネットワークコントローラ５及びユーザインタフェース手段として設けられた操作パネル６を内部バス７に接続して構成される。
【００２２】
図１に戻り、本実施の形態における情報表示装置１０は、画像取得部１１、画像分割部１２、ＨＭＤ接続部１３、表示制御部１４及び処理制御部１５を有している。なお、本実施の形態の説明に用いない構成については図１から省略している。
【００２３】
画像取得部１１は、情報表示システムで表示する画像を取得する。画像分割部１２は、分割手段として設けられ、画像取得部１１により取得された画像を、それぞれの画像のみでは容易に判読できないように第１画像と第１画像以外の部分からなる第２画像とに分割する。また、画像取得部１１により取得された画像が秘匿性のある情報（秘匿情報）を含む画像の場合、その画像を、秘匿情報が第１画像のみでは判読できないように、又は秘匿情報が第２画像のみに含まれるように、第１画像及び第２画像に分割してもよい。ＨＭＤ接続部１３は、接続手段として設けられ、ＨＭＤ９を情報表示装置１０に通信可能に接続する。接続形態は有線でも無線でもよい。表示制御部１４は、表示制御手段として設けられ、表示手段である操作パネル６に第１画像を表示すると共にＨＭＤ９に第２画像を表示するよう制御する。処理制御部１５は、各構成要素１１〜１４の動作制御を行う。また、動作制御を行うために必要な処理、具体的には文書の種類の判別、現在位置の検出等を行う。
【００２４】
情報表示装置１０における各構成要素１１〜１５は、情報表示装置１０を形成するコンピュータと、コンピュータに搭載されたＣＰＵ１で動作するプログラムとの協調動作により実現される。
【００２５】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２６】
続いて、本実施の形態における文書画像の表示処理を説明する前に、本実施の形態における表示処理を実施した結果、文書画像がどのように表示されるかということについて先に説明する。
【００２７】
図３は、情報表示装置１０への表示対象として利用者により選択された秘匿したい情報を含む業務文書の一例を示した図である。本実施の形態において便宜上「業務文書」というのは、第三者への情報漏洩を防止すべく秘匿したい情報を含む文書であることを意味している。これは、いわゆる「業務」に関する文書に限られるものではなく、利用者が作成する個人的なメール文書やメモのような、他人に見られたくない内容を含む文書であってもよい。本実施の形態における情報表示装置１０は、利用者による図３に例示した業務文書の表示要求に対して、図４及び図５にそれぞれ示した分割画像を生成する。図４に示した第１画像としての分割画像は、操作パネル６に表示するための分割画像であり、図５に示した第２画像としての分割画像は、ＨＭＤ９に表示するための分割画像である。分割画像をそれぞれ単独で閲覧しても、業務文書の記載内容は容易には確認できない。ところで、透過型のＨＭＤ９では分割画像の黒色部分が透過されるので、黒色部分の先にあるものは視認可能である。従って、利用者が操作パネル６を、図５に示した黒色部分に図４に示した表示された文字部分が合致するよう位置合わせをして見るのであれば、ＨＭＤ９に表示された分割画像と操作パネル６の表示された分割画像とが結合されるように見えることで、利用者が見える画像として図３に示した業務文書が形成される。このように、操作パネル６に表示された分割画像だけでは容易に判読ができない表示状態であるが、図５に示した分割画像が表示されたＨＭＤ９を介して操作パネル６に表示された分割画像を見ることで利用者のみが業務文書を判読可能になる。
【００２８】
表示対象として、図３〜図５は文字列から成る業務文書であるのに対し、図６及び図７は図形から成る業務文書の場合を示している。図６には、業務文書２１を格子状に分割し、各分割画像を操作パネル６及びＨＭＤ９に表示させる場合の例が示されている。図７には、業務文書２１を中心部分とその周囲部分とに分割し、中心部分を含む分割画像をＨＭＤ９に、周囲部分を含む分割画像を操作パネル６に、それぞれ表示させる場合の例が示されている。図７に例示した画像分割方法では、ＨＭＤ９のみに秘匿情報が含まれる可能性が高くなり、ＨＭＤ９の表示内容だけで秘匿情報が視認できるが、ＨＭＤ９への表示内容は第三者にのぞき見されることはないので秘匿情報は漏洩しない。
【００２９】
本実施の形態では、上記説明したように、秘匿情報を含む業務文書を分割して操作パネル６に表示した分割画像のみでは、秘匿情報が判読できないようにすることを特徴としている。そのためには、秘匿情報を分割して操作パネル６及びＨＭＤ９にそれぞれ表示させるか、秘匿情報がＨＭＤ９に表示される分割画像のみに含まれるよう業務文書を分割する必要がある。
【００３０】
まず、前者の場合において、秘匿情報が図３に例示したように文字列の場合、画像解析を行うことで文字列の並び、例えば文字列に含まれる各文字の下端を通る直線を基準線とする。そして上下に二分割する。つまり、文字列の中心を基準に上下に分割する。もちろん、これは分割方法の一例であって、文字がより確実に判読できないようにするために更に細かく三分割以上に分割してもよい。あるいは、図４，５に例示したように格子状に分割してもよい。また、図４，５では、分割画像の境界を直線としたが、波状の線や曲線としてもよい。また、例えば横書きの場合、縦方向に分割してもよい。また、秘匿情報が図６，７に例示したように図形の場合、図６，７に例示したように格子状、あるいは中心部分とその周囲部分というように領域分割してもよい。いずれにしても、本実施の形態においては、分割した一方の画像を参照しても視認性を低下させ文字列の判読困難にするよう分割することになる。
【００３１】
また、後者の場合、業務文書画像において秘匿情報の表示領域が予め決められていることが把握できる場合、その秘匿情報の表示領域に対応する画像を少なくとも含むように第２画像を形成し、ＨＭＤ９に表示してもよい。
【００３２】
また、秘匿情報に文字列と図形とが混在している場合、予め設定された分割方法、例えば常に格子状に分割する方法を採用するようにしてもよいし、画像解析を行って文字列と図形の各表示領域を特定し、その特定した領域毎に前述した分割処理を行うようにしてもよい。
【００３３】
なお、図３〜図６では表示対象の画像をほぼ均等に分割した例を示しているが、操作パネル６に表示する分割画像がＨＭＤ９に表示する分割画像より小さいサイズとなるように分割するなどして、更に操作パネル６だけでの視認性を更に低下させるようにしてもよい。
【００３４】
次に、本実施の形態における情報表示システムに画像を表示する表示処理について図８に示したフローチャートを用いて説明する。
【００３５】
まず、画像を表示させる情報表示システムの利用者は、ＨＭＤ９を予め頭部に装着した状態で情報表示装置１０の操作パネル４を操作するなどして表示対象の文書を指定する。表示対象の文書は、情報表示装置１０のＨＤＤ４に保存されている文書でもネットワーク経由で取得可能な文書でもよい。画像取得部１１は、利用者により指定された文書を取得する。画像取得部１１により取得された文書が業務文書でない場合（ステップ１１０でＮ）、表示制御部１４は、その文書をそのまま操作パネル６に表示する（ステップ１５０）。つまり、業務文書でなければ、取得した文書に対して後述する処理を施すことなく通常通りに文書全体を操作パネル６に表示すればよいことになる。なお、業務文書かどうかは、保存場所や文書名等予め決められた規則に従って業務文書が管理されている場合、その規則に基づいて判断してもよい。また、文書作成アプリケーションプログラムやメールの閲覧や作成アプリケーションプログラム等の文書閲覧や文書編集を行うアプリケーションプログラムの種類に基づいて業務文書かどうかを判断するようにしてもよい。さらに、利用者が操作パネル６を操作することにより、業務文書であることを指示するように構成してもよい。
【００３６】
画像取得部１１により取得された文書が業務文書の場合（ステップ１１０でＹ）、処理制御部１５は、続いて、利用者が業務文書を表示しようとしている現在の位置が公共の場であるかどうかを判断する。これは、情報表示装置１０が社内ネットワークに接続されているか、あるいはＧＰＳ機能が搭載されている場合には現在位置と事業所の位置情報を比較するなどして判断してよい。利用者が公共の場にいないと判断された場合（ステップ１２０でＮ）、表示制御部１４は、その文書を操作パネル６に表示する（ステップ１５０）。
【００３７】
一方、利用者が公共の場にいると判断された場合（ステップ１２０でＹ）、画像分割部１２は、次のようにして文書画像を分割する（ステップ１３０）。この画像分割処理について図９に示したフローチャートを用いて処理の流れについて簡単に説明する。なお、公共の場というのは、操作パネル６に表示された業務文書が第三者によって見られる可能性があることによって秘匿情報が漏洩する可能性のある場所のことをいう。さらに、利用者が操作パネル６を操作することにより、利用者自身が公共の場にいるか否かを指示するように構成してもよい。
【００３８】
ところで、ＨＭＤ９には、両目の前に表示画面が位置する両眼タイプと片方の目だけに表示画面が位置する単眼タイプとがある。情報表示装置１０に接続されたＨＭＤ９がどちらのタイプであるかは事前に把握できる。画像分割部１２は、ＨＭＤ９が両眼タイプの場合（ステップ１３１でＹ）、文書画像を３分割し（ステップ１３２）、ＨＭＤ９が単眼タイプの場合（ステップ１３１でＮ）、文書画像を２分割する（ステップ１３３）。
【００３９】
ところで、本実施の形態では、前述したように表示対象の文書画像を分割し、その分割画像を操作パネル６とＨＭＤ９それぞれに表示することを特徴としている。ＨＭＤ９が両眼タイプの場合、左右の目それぞれに対応した表示画面と操作パネル６とで合わせて３画面存在するので、文書画像を３分割する。つまり、ＨＭＤ９の両画面に異なる分割画像を表示するためである。ただ、説明を簡略にするために、特に断らない限りＨＭＤ９が両眼タイプでも表示画面の双方に同じ内容の画像を表示することにして説明する。つまり、ＨＭＤ９が両眼タイプでも２分割するものとして説明する。
【００４０】
続いて、画像分割部１２は、画像分割対象の業務文書が文字列からなる文書の場合（ステップ１３４でＹ）、前述したように文字の下端を基準線として二分割や三分割するなどの文字列用の分割を施し（ステップ１３５）、一方、画像分割対象の文書が図形を含む文書の場合（ステップ１３４でＮ）、前述したように格子状に分割するなどの図形用の分割を施す（ステップ１３６）。このとき、ＨＭＤ９に表示する分割画像に含まれる、操作パネル６の表示内容を透過して見るための領域は、黒色に画像加工をする。透過型ＨＭＤでの黒色表示は透明になるためである。一方、操作パネル６に表示する分割画像に含まれる、ＨＭＤ９の表示位置に対応する領域は白色に画像加工をする。
【００４１】
ここでは、便宜的に業務文書が文字列又は図形から成る文書かで分岐するようにしたが、文字列と図形が混在している場合には、前述したように所定の規則に従って業務文書画像を分割したり、業務文書画像を解析して文字列と図形の各領域を特定するなどして画像分割すればよい。
【００４２】
秘匿情報全体が操作パネル６に表示されると、同じ公共の場にいる第三者にのぞき見されて秘匿情報が漏洩してしまう可能性がある。従って、画像分割部１２は、画像を分割する際、前述したように秘匿情報がＨＭＤ９の表示画面のみに表示されるように分割する。あるいは、秘匿情報全体が操作パネル６に表示されないように分割して、操作パネル６の表示内容から秘匿情報が判読できないようにする。
【００４３】
以上のようにして画像分割部１２が業務文書画像を分割することで操作パネル用及びＨＭＤ用の分割画像をそれぞれ形成すると、表示制御部１４は、操作パネル用の分割画像を操作パネル６に、ＨＭＤ用の分割画像をＨＭＤ９に、それぞれ表示する（ステップ１４０）。
【００４４】
利用者は、以上のようにして操作パネル６及びＨＭＤ９それぞれに表示された分割画像を位置合わせすることで、業務文書を判読する。一方、利用者の背後にいる第三者は、操作パネル６をのぞき見しても業務文書の分割画像だけでは文書内容を判読できない。
【００４５】
なお、分割対象の画像がカラー画像の場合は、上記のように領域分割でなく色（ＲＧＢ）で分割し、操作パネル６には単一カラーのみを表示するようにしてもよい。
【００４６】
また、表示する業務文書に、頁めくりや文字入力などに利用する、利用者により操作可能なＧＵＩ（グラフィカルユーザインタフェース）部品が含まれている場合、そのＧＵＩ部品をＨＭＤ９に表示すると、利用者による操作は困難になってしまう。そこで、ＧＵＩ部品を含む画像は、ＧＵＩ部品への操作が容易な情報表示装置１０の操作パネル６に表示するようにしてもよい。
【００４７】
この例における画像分割処理について説明する。図１０乃至図１５は情報表示装置１０においてメモ文書の編集を行うアプリケーションプログラムを用いて文書を編集する際の画面表示を説明するのに用いる概念図である。図１０は、一般的な情報表示装置１０の操作パネル６に表示されるメモ文書編集アプリケーションでの表示例である。表示される情報を構成するＧＵＩ部品として、アプリケーションプログラム名表示フィールド１０１として「メモ」、文字情報入力フィールド１０２、文字を入力するための仮想キーボード１０３からなる表示画面である。利用者は、操作パネル６に表示される仮想キーボード１０３を操作することにより、文字情報入力フィールド１０２に入力された文字が表示される。本実施の形態においては、画像分割部１２は、秘匿したい情報からなる分割画像を生成してＨＭＤ９に表示させ、秘匿する必要のない情報からなる分割画像を生成して操作パネル６に表示させる。
【００４８】
図１１は、秘匿したい情報としてＨＭＤ９に表示させる分割画像の一例である。この分割画像による表示態様は以下のとおりである。文字入力フィールド１１２は、文字入力した結果が表示されるため、第三者に見られたくない情報なのでＨＭＤ９に表示されるようにする。また、仮想キーボード１１３を構成する文字入力キーのうち、利用者が実際に操作パネル６を用いて入力している文字入力キーは、ＨＭＤ９に表示するようにする。これは、実際に入力している文字を第三者に見られることを防ぐためである。利用者が操作していない文字入力キーに関しては、ＨＭＤ９には非表示にしてもよいし、図示したように仮想キーボード１１３の枠線のみ表示するように構成してもよい。なお、図１２において、表示されない領域は破線で図示した。以降の説明で用いる図面においても同様である。
【００４９】
図１２は、秘匿する必要のない情報として操作パネル６に表示させる分割画像の一例である。この分割画像による表示態様は以下のとおりである。アプリケーションプログラム名表示フィールド１２１は、特に秘匿すべき情報でないため、「新規メモ」を表示している。文字入力フィールド１２２には、秘匿すべき情報が表示されるので、操作パネル６に表示される分割画像には入力された内容は含まれず、枠線のみ表示するようにしている。なお、図１２では非表示部分なので枠線を破線で図示している。仮想キーボード１２３は、利用者が操作パネル６を操作するための情報なので操作パネル６に表示されるよう分割画像を構成する。ここで、仮想キーボード１２３の全ての文字入力キーを操作パネル６に表示させるのではなく、ＨＭＤ９に表示される文字入力キーと重複する部分は非表示となるようにしてもよい。また、利用者により仮想キーボード１２３のいずれかの文字入力キーが選択されることによって操作パネル６に表示されないフィールド内に選択候補となる文字入力キーが表示されるような場合、例えば、「あ」が選択されると操作パネル６に表示されない入力フィールド１２２内に「う」が表示されることになるが、このような場合、入力フィールド１２２にかかる文字入力キー「う」がＨＭＤ９に、仮想キーボード１２３の表示領域内に表示される文字入力キー「あ」、「い」、「え」及び「お」が操作パネル６に、それぞれ表示されるようにしてもよい。メールアプリケーションにおいても同様に分割画像を形成してよい。
【００５０】
図１３は、一般的な情報表示装置１０の操作パネル６に表示されるメールアプリケーションでの表示例である。表示される情報を構成するＧＵＩ部品として、アプリケーションプログラム名表示フィールド１３１、宛先、件名、本文等の情報の入力フィールド１３２、メールの送信や保存、破棄等の指示入力を行う操作ボタン１３３、入力された文字の変換候補を表示する変換候補表示フィールド１３４、文字を入力するための仮想キーボード１３５からなる表示画面である。利用者は、操作パネル６に表示される仮想キーボード１３５を操作して文字入力を行ったり、操作ボタン１３３を操作してメールの処理を指示することができる。本実施の形態においては、画像分割部１２は、秘匿したい情報からなる分割画像を生成してＨＭＤ９に表示させ、秘匿する必要のない情報からなる分割画像を生成して操作パネル６に表示させる。
【００５１】
図１４は、秘匿したい情報としてＨＭＤ９に表示させる分割画像の一例である。この分割画像による表示態様は以下のとおりである。文字入力フィールド１４２には、仮想キーボード１４５を用いて利用者により文字入力された結果が表示されるため、第三者に見られたくない情報なのでＨＭＤ９に表示されるようにする。また、仮想キーボード１４５により入力された文字列の変換候補を示す変換候補表示フィールド１４４は、利用者が表示された候補文字列の中から選択して入力するための表示であり、秘匿すべき情報に該当するのでＨＭＤ９に表示されるようにする。これら以外のアプリケーションプログラム名表示フィールド１４１、操作ボタン１４３、仮想キーボード１４５は非表示とするようにしてもよいし、枠線のみＨＭＤ９に表示させるように分割画像を構成するようにしてもよい。
【００５２】
図１５は、秘匿する必要のない情報として操作パネル６に表示させる分割画像の一例である。この分割画像による表示態様は以下のとおりである。アプリケーションプログラム名表示フィールド１５１は、特に秘匿すべき情報でないため、「メール作成」を表示している。文字入力フィールド１５２には、入力された宛先やメール本文情報は秘匿すべき情報が表示されるので、操作パネル６に表示される分割画像には入力された内容は含まれず、枠線のみ表示するようにしている。また、変換候補表示フィールド１５４には、選択された変換候補文字列が表示されるので、秘匿すべき情報であり、非表示としている。メールの送信や保存、破棄等の指示入力を行う操作ボタン１５３と仮想キーボード１５５は、利用者が操作パネル６を操作するための情報であり、操作パネル６に表示されるよう分割画像を構成する。
【００５３】
また、本実施の形態においては、本発明に係る情報表示装置を、スマートホンやタブレット端末等の携帯端末に適用した場合を例にして説明したが、必ずしも携帯性の有無によって限定する必要はなく、情報を表示しうるコンピュータであれば卓上型のパーソナルコンピュータ（ＰＣ）等で実現してもよい。
【００５４】
また、情報表示装置１０に複数のＨＭＤ９を接続し、複数のＨＭＤ９に同じ分割画像を表示させることで、複数の利用者に同じ業務文書を同時に閲覧できるように構成してもよい。
【符号の説明】
【００５５】
１  ＣＰＵ、２  ＲＯＭ、３  ＲＡＭ、４  ハードディスクドライブ（ＨＤＤ）、５  ネットワークコントローラ、６  操作パネル、７  内部バス、９  ヘッドマウントディスプレイ（ＨＭＤ）、１０  情報表示装置、１１  画像取得部、１２  画像分割部、１３  ＨＭＤ接続部、１４  表示制御部、１５  処理制御部。
【図１】
2015184921.tif 000003
【図２】
2015184921.tif 000004
【図３】
2015184921.tif 000005
【図４】
2015184921.tif 000006
【図５】
2015184921.tif 000007
【図６】
2015184921.tif 000008
【図７】
2015184921.tif 000009
【図８】
2015184921.tif 000010
【図９】
2015184921.tif 000011
【図１０】
2015184921.tif 000012
【図１１】
2015184921.tif 000013
【図１２】
2015184921.tif 000014
【図１３】
2015184921.tif 000015
【図１４】
2015184921.tif 000016
【図１５】
2015184921.tif 000017